(57)【要約】【課題】製缶作業等の特定作業を時間的，労力的負担が少なく効率良く行なう。【解決手段】コンテナ本体２は、複数種の作業から任意に選択した一つの特定作業を行う場合に使用される全ての道工具を収納するに十分な収納容積を有する。コンテナ本体２内は、複数の道工具を上下に重合しない並列配置状態で収納する第１道工具収納室６とその下位に位置して複数の道工具を収納する第２道工具収納室７とに区画される。コンテナ本体２の上壁は、第１道工具収納室６を開閉する第１開閉蓋１６に構成されており、コンテナ本体２の前壁は、第２道工具収納室７を開閉する第２開閉蓋１７に構成されている。第１道工具収納室６及び／又は第２道工具収納室７には、当該複数種の作業に共通して使用される道工具を収納する領域と一つの特定作業においてのみ専用使用される道工具を収納する領域とが設定される。【選択図】        図２
2004283993.tif 000002
【特許請求の範囲】
【請求項１】
複数種の作業から任意に選択した一つの特定作業を行う場合に使用される全ての道工具を収納するに十分な収納容積を有するコンテナ本体を具備する道工具コンテナであって、コンテナ本体内が、複数の道工具を上下に重合しない並列配置状態で収納する第１道工具収納室とその下位に位置して複数の道工具を収納する第２道工具収納室とに区画されており、コンテナ本体の上壁は、第１道工具収納室の上面を開閉する第１開閉蓋に構成されており、コンテナ本体の前壁又はその一部は、第２道工具収納室の前面又はその一部を開閉する第２開閉蓋に構成されており、第１道工具収納室及び／又は第２道工具収納室に設定された共通道工具収納領域に、当該複数種の作業に共通して使用される道工具たる共通道工具を収納すると共に、第１道工具収納室及び／又は第２道工具収納室における共通道工具収納領域以外の部分である専用道工具収納領域に、一つの特定作業においてのみ専用使用される道工具たる専用道工具を収納するように構成したことを特徴とする道工具コンテナ。
【請求項２】
コンテナ本体には、これを移動させるための走行輪と当該コンテナ本体を吊支させるためのコンテナ吊支具用取付片とが設けられていることを特徴とする、請求項１に記載する道工具コンテナ。
【請求項３】
コンテナ本体の上端外周縁部に、第１道工具収納室の上面とこれを閉塞する第１開閉蓋との間に格納される格納位置とコンテナ本体から水平に張り出す作業位置とに亘って移動自在な作業用プレートを取り付けてあることを特徴とする、請求項１又は請求項２に記載する道工具コンテナ。
【請求項４】
第１開閉蓋及び／又は第２開閉蓋の裏面に、薄肉ないし小型の道工具を係合保持する保持部を形成してあることを特徴とする、請求項１、請求項２又は請求項３に記載する道工具コンテナ。
【請求項５】
第２道工具収納室を複数の収納室部分に区画して、当該収納室部分群から選択された各収納室部分に、各々、複数の道工具を上下に重合しない並列配置状態で収納する道工具収納ケースを引出し自在に収納してあることを特徴とする、請求項１、請求項２、請求項３、請求項４又は請求項５に記載する道工具コンテナ。
【請求項６】
第１道工具収納室及び／又は第２道工具収納室には、道工具を予め設定された特定位置に収納させるための道工具位置決め部材が設けられていることを特徴とする、請求項１、請求項２、請求項３、請求項４又は請求項５に記載する道工具コンテナ。
【請求項７】
請求項１、請求項２、請求項３、請求項４、請求項５又は請求項６に記載された道工具コンテナを使用して複数種の作業から任意に選択された一つの特定作業を行う方法であって、
道工具コンテナの共通道工具収納領域に全ての共通道工具を収納した上で、当該道工具コンテナを道工具管理・保管エリアに保管しておく作業準備工程と、
全ての専用道工具を、道工具管理・保管エリアにおける当該専用道工具の管理・保管場所から取り出して、道工具コンテナの専用道工具収納領域に収納させる専用道工具収納工程と、
全ての共通道工具及び専用道工具が収納された道工具コンテナを、道工具管理・保管エリアから特定作業を行う作業現場まで移送させる道工具移送工程と、
作業現場において、第１及び第２開閉蓋を開いて道工具コンテナから取り出した共通道工具及び専用道工具を使用して当該特定作業を行う作業工程と、
作業工程の完了後において、共通道工具及び専用道工具が夫々共通道工具収納領域及び専用道工具収納領域に復帰収納されていることを確認した上で、道工具コンテナを作業現場から道工具管理・保管エリアに復帰移送させる道工具返送工程と、
道工具返送工程の完了後において、専用道工具のみを道工具コンテナの専用道工具収納領域から取り出して、道工具管理・保管エリアにおける当該専用道工具の管理・保管場所に戻しておく専用道工具返戻工程と、
からなり、
１回目の特定作業が終了した後において、２回目以降の特定作業を行うに当たっては、それが直前に行われた特定作業と同種であると否とに拘わらず、作業準備工程を行わないようにすることを特徴とする道工具コンテナを使用する作業方法。
【発明の詳細な説明】
【０００１】
【発明の属する技術分野】
本発明は、複数種の作業（製缶作業，仕上げ作業等）を効率よく行いうる道工具コンテナ及びこれを使用する作業方法に関するものである。
【０００２】
【従来の技術】
製缶作業や仕上げ作業等にあっては、膨大な量の道具及び／又は工具（例えば、スパナ，レンチ等の手工具、溶接面，溶接ホルダー，ガス切断用吹管，ジャッキ，消火器等の各種機器、補修，交換用のボルト，ナットや溶接棒等の消耗品、工事用各種たれ幕等の備品や製作図面等であり、以下「道工具」と総称する）や汚れの拭き取り用ウエス等が必要とされるが、このような多数の道工具を必要とする作業は、一般に、次のような手順によって行われているのが普通である。
【０００３】
まず、作業者の一人（一般に、その作業グループのリーダ）がその日（作業日）に行うべき作業（以下「特定作業」という）に必要とされる道工具を当該作業内容を想定しながら所定用紙に書き込み（道工具企画工程）、道工具管理者に手渡す。道工具管理者は、道工具管理・保管エリア（管理倉庫等）の保管場所から、当該用紙に記載された道工具を取り出し（道工具抽出工程）、作業者（一般に前記リーダ）は当該取り出された道工具を適宜の道工具収納容器に収納する（道工具収納工程）。すなわち、道工具管理・保管エリアには、道工具を種類別に整理した状態で保管する道工具棚等が配備されていて、道工具管理者が作業者から指示された道工具を、道工具棚等の該当する保管場所から取り出して、作業者に受け渡す。作業者は、道工具管理者から受け取った道工具を、道工具収納容器に収納する。このとき、一般に使用されている道工具収納容器は、特定作業に必要な道工具をすべて収納しうる容積の箱体（一般に、側方が開口されたキャビネットや棚の類）にすぎないものであり、作業者は道工具管理者から渡される多数の道工具を、順次、当該道工具収納容器にランダムに詰め込んでいくことになる。また、必要とされる道工具に、スパナ等と共に道工具収納容器に収納することによって損傷，破損する虞れのあるアーク溶接用トーチ，ガス切断用吹管や消火器等の機器や製作図面等（以下、これらを「収納不能道工具」といい、かかる収納不能道工具以外の道工具つまり道工具収納容器に他の道工具と共にランダムに詰め込むことができる道工具を「収納可能道工具」という）が含まれている場合には、これらの収納不能道工具は、収納可能道工具と区別して、道工具収納容器に収納しないでおく。
【０００４】
次に、道工具収納容器及びこれに収納しない収納不能道工具を、台車や工作車等を使用して、道工具管理・保管エリアから当該特定作業を行う作業現場まで移送させ、作業現場において、道工具収納容器から取り出した収納可能道工具及び道工具収納容器とは別途移送した収納不能道工具を使用して特定作業を行なう（作業工程）。
【０００５】
このとき、収納可能道工具については、道工具収納容器にランダムに詰め込まれているから、必要な道工具を道工具収納容器から取り出すのは容易ではない。そこで、一般には、作業工程を開始するに当たっては、予め、収納可能道工具を道工具収納容器から取り出し、作業手順を考慮しつつ収納不能道工具と共にシート上に整理した状態で並べておく。そして、作業中は、シート上に並べられた道工具から必要なものを選択して使用する。使用済みの道工具は、再び、シート上に戻しておく。使用済みの収納可能道工具を、道工具収納容器に直接戻すと、作業完了後において、道工具が揃っているかどうか（紛失しているかどうか）の確認が困難であるからである。
【０００６】
特定作業が完了すると、道工具が全て揃っているかどうかを確認した上で、収納可能道工具をシート上から道工具収納容器に戻した上、道工具収納容器及び収納不能道工具を道工具管理・保管エリアに移送する。そして、全ての道工具を道工具管理・保管エリアの保管場所に戻しておく（道工具返戻工程）。
【０００７】
【発明が解決しようとする課題】
しかし、以上のような作業方法によっては、特定作業を行なう都度、全ての道工具を道工具管理・保管エリアの保管場所に出し入れする必要があり、しかも各道工具は決められた保管場所に戻しておく必要があることから、道工具企画工程、道工具抽出工程、道工具収納工程及び道工具返戻工程に要する時間的，労力的負担が極めて大きい。また、作業工程にあっては、道工具を直接道工具収納容器から出し入れすることができず、全ての道工具を一旦シート上に並べておく必要があることから、道工具収納容器を作業現場に設置してから特定作業が開始されるまでに要する時間的，労力的負担が大きい。さらに、使用済みの道工具をシート上に戻す場合にも、作業終了後の道工具確認を容易且つ確実に行なうことができるように、道工具は種類別にまとめて並べておく必要があるが、このような作業は極めて煩わしく、面倒である。したがって、ともすれば、使用済みの道工具はシート上にランダムに戻しがちであるが、このようにすると、作業終了後に道工具の紛失確認に多大な時間，労力を要することになる。したがって、製缶作業等に使用される道工具が膨大であることとも相俟って、本来の特定作業以外の作業に要する時間的，労力的負担が極めて大きく、作業効率が頗る悪い。また、製缶作業等においては大型図面が使用されることが多いが、作業現場には大型図面を広げるような机等がないことから、極めて不便であり、作業効率にも悪影響を及ぼす。
【０００８】
本発明は、このような問題を生じることなく、製缶作業等の特定作業を時間的，労力的負担が少なく効率良く行なうことができる作業方法と、これに好適に使用することが道工具コンテナを提供することを目的とするものである。
【０００９】
【課題を解決するための手段】
本発明は、上記の目的を達成すべく、次のような道工具コンテナとこれを使用する作業方法を提案する。
【００１０】
すなわち、本発明は、第１に、複数種の作業から任意に選択した一つの特定作業を行う場合に使用される全ての道工具を収納するに十分な収納容積を有するコンテナ本体を具備する道工具コンテナであって、コンテナ本体内が、複数の道工具を上下に重合しない並列配置状態で収納する第１道工具収納室とその下位に位置して複数の道工具を収納する第２道工具収納室とに区画されており、コンテナ本体の上壁は、第１道工具収納室の上面を開閉する第１開閉蓋に構成されており、コンテナ本体の前壁又はその一部は、第２道工具収納室の前面又はその一部を開閉する第２開閉蓋に構成されており、第１道工具収納室及び／又は第２道工具収納室に設定された共通道工具収納領域に、当該複数種の作業に共通して使用される道工具たる共通道工具を収納すると共に、第１道工具収納室及び／又は第２道工具収納室における共通道工具収納領域以外の部分である専用道工具収納領域に、一つの特定作業においてのみ専用使用される道工具たる専用道工具を収納するように構成したことを特徴とする道工具コンテナを提案する。
【００１１】
かかる道工具コンテナにあっては、コンテナ本体の上端外周縁部に、第１道工具収納室の上面とこれを閉塞する第１開閉蓋との間に格納される格納位置とコンテナ本体から水平に張り出す作業位置とに亘って移動自在な作業用プレートを取り付けておくことが好ましい。また、第１開閉蓋及び／又は第２開閉蓋の裏面には、薄肉ないし小型の道工具（例えば、各種図面や筆記用具等）を係合保持する保持部を形成しておくことが好ましい。また、第２道工具収納室を複数の収納室部分に区画して、当該収納室部分群から選択された各収納室部分に、各々、複数の道工具を上下に重合しない並列配置状態で収納する道工具収納ケースを引出し自在に収納しておくことが好ましい。さらに、第１道工具収納室及び／又は第２道工具収納室には、道工具を予め設定された特定位置に収納させるための道工具位置決め部材（例えば、道工具を特定位置に係合保持するための凹部や吸着保持しておくための磁気盤等の物理的なもの又は道工具を特定位置に収納しておくための目印や表示等の視覚的なもの）を設けておくことが好ましい。また、コンテナ本体には、当該道工具コンテナの移動を容易ならしめるために、適当数の走行輪やコンテナ吊支具用取付片を設けておくことが好ましい。
【００１２】
また、本発明は、第２に、上記した本発明の道工具コンテナを使用して複数種の作業から任意に選択された一つの特定作業を行う方法を提案する。すなわち、本発明の作業方法は、道工具コンテナの共通道工具収納領域に全ての共通道工具を収納した上で、当該道工具コンテナを道工具管理・保管エリアに保管しておく作業準備工程と、全ての専用道工具を、道工具管理・保管エリアにおける当該専用道工具の管理・保管場所から取り出して、道工具コンテナの専用道工具収納領域に収納させる専用道工具収納工程と、全ての共通道工具及び専用道工具が収納された道工具コンテナを、道工具管理・保管エリアから特定作業を行う作業現場まで移送させる道工具移送工程と、作業現場において、第１及び第２開閉蓋を開いて道工具コンテナから取り出した共通道工具及び専用道工具を使用して当該特定作業を行う作業工程と、作業工程の完了後において、共通道工具及び専用道工具が夫々共通道工具収納領域及び専用道工具収納領域に復帰収納されていることを確認した上で、道工具コンテナを作業現場から道工具管理・保管エリアに復帰移送させる道工具返送工程と、道工具返送工程の完了後において、専用道工具のみを道工具コンテナの専用道工具収納領域から取り出して、道工具管理・保管エリアにおける当該専用道工具の管理・保管場所に戻しておく専用道工具返戻工程と、からなり、１回目の特定作業が終了した後において、２回目以降の特定作業を行うに当たっては、それが直前に行われた特定作業と同種であると否とに拘わらず、作業準備工程を行わないようにするものである。
【００１３】
【発明の実施の形態】
以下、本発明の実施の形態を図１〜図８に基づいて説明する。
【００１４】
図１〜図５は第１の実施の形態を示しており、この実施の形態における本発明に係る道工具コンテナ（以下「第１道工具コンテナ」という）１Ａは、図１〜図４に示す如く、金属製の矩形箱体をなすコンテナ本体２と、これに設けられた走行輪３及びコンテナ吊支具用取付片４とを具備する。
【００１５】
コンテナ本体２は、複数種の作業（製缶作業，仕上げ作業等）から任意に選択した一つの特定作業（例えば、製缶作業）を行う場合に使用される全ての道工具（例えば、レンチ，スパナ，図面，アーク溶接用トーチ，ガス切断用吹管，消火器等）を収納するに十分な収納容積を有する大きさのものとされている。例えば、コンテナ本体２の高さ（図１における上下方向長さ）は６０〜９０ｃｍ程度、左右幅（同図における左右方向長さ）は８０〜１３０ｃｍ程度、前後幅（図４における左右方向長さ）は５０〜６０ｃｍ程度に設定される。
【００１６】
コンテナ本体２の内部は、図１及び図２に示す如く、水平仕切壁５により上下２室６，７に仕切られている。而して、上室６は、深さ（上下方向高さ）の小さな第１道工具収納室に構成されている。すなわち、第１道工具収納室６の深さは、レンチ，スパナ，ハンマ等の比較的小型，薄型の道工具を上下に重合しない並列配置状態で収納しうる程度（例えば、１０〜２０ｃｍ程度）とされている。第１道工具収納室６には、これらの道工具を種類別に整理して収納し、更には同種の道工具を大きさ順に整列させて収納する等により、道工具の選択，存在確認等を容易に行いうるように整然とした配置形態で収納しておくことが好ましい。そのためには、第１道工具収納室６の底壁（仕切壁５）上に、各道工具を予め設定された特定位置に収納させるための道工具位置決め部材を設けておくことが好ましい。例えば、図３に示す如く、第１道工具収納室６に、レンチ差込用の穴を有する六角レンチ保持盤８やボックスレンチ保持盤９及びハンマの頭部及び柄部を係合保持する係合金具１０，１１等を設けて、レンチ，ハンマ等の道工具を夫々予め設定された特定位置に収納させるようにしておくことが好ましい。
【００１７】
また、下室７は、図２に示す如く、特定作業に必要とされる道工具の大半（第１収納室６に収納するものを除いたもの）を収納する第２道工具収納室に構成されており、大型の道工具（消火器等）も余裕をもって収納しうる大容積のものである。第２道工具収納室７には、大きさの異なる種々の道工具が収納されることから、これらの道工具を区別して収納し、その出し入れを容易に行い得るように工夫しておくことが好ましい。例えば、図２に示す如く、第２道工具収納室７を大きさの異なる複数の収納室部分１２，１３，１４に区画して、大容積収納室部分１２に大型道工具を収納し、複数の小容積収納室部分１４…には夫々小型道工具を種類等により区別して収納し、これら以外の中型道工具を各中容積収納室部分１３に収納するようにしておくことが好ましい。この場合、複数の小型道工具を各小容積収納室部分１４に直接収納させておくと、道工具の出し入れが不便であり、また作業終了後における道工具の存在確認を容易に行い難い。したがって、各小容積収納室部分１４には、図２に示す如く、道工具収納ケース（パーツボックス）１５を引き出し自在に収納して、このケース１５に複数の道工具を収納させておくようにすることが好ましい。なお、ケース１５は、道工具の選択，存在確認等を容易に行いうるように、複数の道工具を上下に重合しない並列配置状態で収納しうる程度の深さのものとしておくことが好ましい。
【００１８】
コンテナ本体２の上壁は、図１〜図４に示す如く、第１道工具収納室６の上面を閉塞する閉塞位置（図１位置）と当該上面を開放すべく垂直に立ち上がる開放位置（図２〜図３位置）とに亘って開閉自在とされた第１開閉蓋１６に構成されている。なお、第１開閉蓋１６は、コンテナ本体２の後壁の上端部に回動自在に取り付けられている。また、コンテナ本体２の前壁は、図１〜図３に示す如く、第２道工具収納室７の前面を閉塞する閉塞位置（図１位置，図３実線位置）と当該前面を開放する開放位置（図２位置）とに亘って観音開き状に開閉自在とされた左右一対の第２開閉蓋１７，１７に構成されている。なお、各第２開閉蓋１７は、コンテナ本体２の側壁の前端部に回動自在に取り付けられている。
【００１９】
ところで、特定作業に必要とされる道工具のうち、図面や筆記用具等の薄型，小型の道工具は、道工具収納室６，７に他の道工具と混在して収納しておくことにより損傷，破損する虞れがあったり、或いは道工具収納室６，７に収納しておくことが使用上，管理上却って不便である。したがって、これらの道工具については、他の道工具とは別に収納しておくことが好ましいこと、及び収納するためにさほどのスペースを要しないものであること等から、第１及び／又は第２開閉蓋１６，１７の裏面部を利用してこれに保持（収納）させておくようにすることが好ましい。この例では、第１開閉蓋１６の裏面部に、上記したような薄型，小型の道工具を係合保持する保持部１８，１９を形成してある。すなわち、第１開閉蓋１６の裏面部には、図２〜図５に示す如く、コ字状の金属棒を取り付けてなる図面用保持部１８及びＬ字状の金属板を取り付けてなる小物用保持部１９が設けられていて、図面用保持部１８に折り畳んだ図面等を係合保持させると共に小物用保持部１９に筆記用具等を収納保持させるように工夫されている。また、第２開閉蓋１７の裏面部にも、同様の保持部２０が形成されている。
【００２０】
また、コンテナ本体２の底壁には、図１、図２及び図４に示す如く、複数の走行輪３…が取り付けられていて、コンテナ本体２の左右側壁の上端部に取り付けたコ字状の押し引き用取手２１，２１を持つことにより、当該コンテナ１Ａを人為的に走行させうるようになっている。一般に、３個又は４個の走行輪３…が設けられるが、コンテナ１Ａの走行操作を容易に行うために、走行輪３…を水平回転自在な自在輪と水平回転不能な固定輪との組み合わせとなるキャスタ構造としておくことが好ましく、各走行輪３を大径のものとしておくことが好ましい。
【００２１】
また、コンテナ本体２の上端部における４隅には、図１〜図４に示す如く、コンテナ吊支具用取付片（吊りピース）４…が取り付けられていて、当該コンテナ１Ａをクレーン等により吊支移送させうるようになっている。さらに、コンテナ本体２の両側壁には、図１及び図４に示す如く、当該側壁に密接する折り畳み位置（図１実線位置，図４位置）と当該側壁から水平に張り出す張り出し位置（図１鎖線位置）とに亘って回動自在なコ字状金属棒からなるウエス袋の引掛具２２が取り付けられている。
【００２２】
また、図６は第２の実施の形態を示しており、この実施の形態における本発明に係る道工具コンテナ（以下「第２道工具コンテナ」という）１Ｂは、次に述べる点を除いて、第１道工具コンテナ１Ａと基本構造を同一とするものである。すなわち、第２道工具コンテナ１Ｂにあっては、図６に示す如く、第２道工具収納室６の左半部を上下方向に複数の小容積収納室部分１４…に区画すると共にその右半部を大容積部を左右方向に大容積収納室部分１２と上下２段の中容積収納室部分１３，１３に区画し、コンテナ本体２の前壁の一部を第２道工具収納室６の右半部を開閉する第２開閉蓋１７に構成してある。そして、第２開閉蓋１７によっては閉塞されない第２道工具収納室６に左半部つまり小容積収納室部分１４…については、これらに前後方向に引き出し自在に収納した引き出し形状の道工具収納ケース１５…によって閉塞するように工夫してある。つまり、コンテナ本体２の前壁の残部（第２開閉蓋１７に構成されない部分）を、各道工具収納ケース１５の前壁で構成してある。なお、道工具収納ケース１５…は、第２道工具コンテナ１Ｂの移送，搬送時に不測に前方へと引き出されることがないように、施錠できるようになっている。また、各道工具収納ケース１５は、第１道工具コンテナ１Ａにおけると同様に、複数の道工具を上下に重合しない並列配置状態で収納しうる程度の深さのものとされている。
【００２３】
また、図７及び図８は第２の実施の形態を示しており、この実施の形態における本発明に係る道工具コンテナ（以下「第３道工具コンテナ」という）１Ｃは、次に述べる点を除いて、第１道工具コンテナ１Ａと基本構造を同一とするものである。
【００２４】
すなわち、第３道工具コンテナ１Ｃにあっては、図７及び図８に示す如く、コンテナ本体２の左右側壁の上端部に、第１道工具収納室６の上面とこれを閉塞する第１開閉蓋１６との間に格納される格納位置（図７実線位置，図８実線位置）とコンテナ本体２から左右方向に水平に張り出す作業位置（同図鎖線位置）とに亘って折り畳み自在な左右一対の作業用プレート２３，２３を取り付けてある。各作業用プレート２３は、前後幅（図８における上下幅）をコンテナ本体２の前後幅と略同一とすると共に左右幅（同図における左右幅）をコンテナ本体の左右幅の略１／２とした金属製矩形板であり、これに回動自在に取り付けた金属製支持部材２４をコンテナ本体２の側壁に取り付けた係合片２５に係合支持させることにより、作業位置に支持されるように構成されている。各作業用プレート２３を作業位置に位置させておくことにより、その上に図面を広げておくことができ、図面の読み取り等を便利に行なうことができる。特に、大型図面についても、左右の作業用プレート２３，２３の上面とコンテナ本体２の上面（第１道工具収納室６の上面）とを一連の図面支持面として利用することにより、容易に扱うことができる。なお、コンテナ本体２の高さつまり作業用プレート２３の作業位置における高さは、作業者が立った状態で当該プレート２３上で容易に作業できる範囲で設定される。また第３道工具コンテナ１Ｃでは、コンテナ本体２の前壁を片開き状の第２開閉蓋１７に構成してある。
【００２５】
而して、各コンテナ１Ａ，１Ｂ，１Ｃにあっては、予め、第１道工具収納室６及び／又は第２道工具収納室７の一部を、当該特定作業においてのみ専用使用される道工具たる専用道工具（例えば、アーク溶接用トーチ，ガス切断用吹管等）を収納する専用道工具収納領域に設定すると共に、第１道工具収納室６及び／又は第２道工具収納室７における専用道工具収容領域を除く部分を、当該特定作業を含む複数種の作業に共通して使用される道工具たる共通道工具（例えば、スパナ等）を収納する共通道工具収納領域に設定して、専用道工具収納領域には専用道工具のみを収納すると共に、共通道工具収納領域には専用道工具以外の道工具（共通道工具）を収納するように工夫されている。例えば、道工具収納ケース１５…の一部又は全部に小型の専用道工具（例えば、製缶作業専用工具等）を収納すると共に大容積収納室部分１２に大型の専用道工具（例えば、ジャッキ等）を収納し、これら以外の第２道工具収納室部分及び第１道工具収納室６に共通道工具を収納するようにする。また、第１道工具収納室６を専用道工具収納領域とする場合においては、図１に例示した六角レンチ保持盤８，ボックスレンチ保持盤９，係合金具１０，１１等のような道工具位置決め部材を設けておかないようにするか、或いはこれらの道工具位置決め部材を一体構造物として複数種用意しておき、予定される特定作業に応じて交換するようにすることが好ましい。なお、第１道工具コンテナ１Ａにおいて例示するように、第１開閉蓋１６の裏面部に図面保持部１８が形成されている場合、図面は作業毎に異なる専用道工具であるから、これを保持する第１開閉蓋１６の裏面部領域は、当然に、専用道工具収納領域となる。
【００２６】
また、本発明に係る作業方法は、上記した道工具コンテナ１Ａ，１Ｂ，１Ｃの何れかを使用して、次のように実施され、複数種の作業から任意に選択された一つの特定作業を効率良く行うことができる。
【００２７】
すなわち、特定作業を開始するに当たっては、予め、道工具収納室６，７の一方又は両方に共通道工具収納領域を設定して、この共通道工具収納領域に全ての共通道工具を収納した上で、当該道工具コンテナ１Ａ，１Ｂ，１Ｃを道工具管理・保管エリアに保管しておく（作業準備工程）。この作業準備工程は、後述するように、１回目の特定作業を行う場合のみ、つまり道工具コンテナ１Ａ，１Ｂ，１Ｃを初めて使用する場合にのみ行われるものであり、２回目以降の特定作業においては行われない。
【００２８】
次に、特定作業に使用される全ての専用道工具を、道工具管理・保管エリアにおける当該専用道工具の管理・保管場所（道工具整理棚等）から取り出して、道工具コンテナ１Ａ，１Ｂ，１Ｃの専用道工具収納領域に収納させる専用道工具収納工程を行う。道工具収納室６，７内の専用道工具収納領域に、他の専用道工具と共に収納させることが好ましくない図面等については、開閉蓋１６，１７の裏面領域に収納させておく。
【００２９】
そして、全ての共通道工具及び専用道工具が収納された道工具コンテナ１Ａ，１Ｂ，１Ｃを、道工具管理・保管エリアから特定作業を行う作業現場（特定作業を道工具コンテナ１Ａ，１Ｂ，１Ｃに邪魔されることなく行うことができる場所）まで移送させる（道工具移送工程）。道工具コンテナ１Ａ，１Ｂ，１Ｃの移動形態は、道工具管理・保管エリアと作業現場との位置関係や作業現場周辺の状況等によって異なるが、一般には、工作車等の運搬車やクレーン等の揚重機を使用することが多い。例えば、道工具コンテナ１Ａ，１Ｂ，１Ｃを、作業者が取手２１を持って道工具管理・保管エリアから工作車の待機位置まで移動させて、パワーゲート等を使用して工作車に積み込んだ上、工作車を作業現場まで移動させて、道工具コンテナ１Ａ，１Ｂ，１Ｃをパワーゲート等を使用して工作車から作業現場に降ろして設置する。また、作業現場が工作車が進入できないような場所である場合には、道工具コンテナ１Ａ，１Ｂ，１Ｃを工作車から作業現場まで人為的に移動させる。また、作業現場が工作車又は人為的移動によっては道工具コンテナ１Ａ，１Ｂ，１Ｃを搬入できない場所（例えば高所）である場合には、道工具コンテナ１Ａ，１Ｂ，１Ｃを、作業現場に設置されたクレーンの操作領域まで工作車により或いは人為的に移動させた上、クレーンにより作業現場に吊支移送する。
【００３０】
道工具コンテナ１Ａ，１Ｂ，１Ｃが作業現場に設置されると、第１及び第２開閉蓋１６，１７を開くことにより、作業工程を直ちに開始することができる。すなわち、道工具コンテナ１Ａ，１Ｂ，１Ｃの第１及び第２道工具収納室６，７には、道工具が種類等を考慮した配置形態で整然と収納されているから、必要とする道工具を道工具コンテナ１Ａ，１Ｂ，１Ｃから容易に取り出すことができ、冒頭で述べた如く一旦シート上に並べるといった煩わしい作業を必要としないことから、特定作業を直ちに開始することができる。特に、第１道工具収納室６や道工具収納ケース１５には、複数の道工具が収納されていても、それらが上下に重合しない並列配置形態で収納されているから、必要な道工具を容易に取り出すことができる。また、使用済みの道工具を元の場所に戻すことも容易に行なうことができる。したがって、作業工程において、特定作業以外の作業（道工具の出し入れ作業や紛失確認作業）に冒頭で述べた如く多大な時間的，労力負担を要することがなく、特定作業を効率良く行なうことができる。
【００３１】
また、第３道工具コンテナ１Ｃを使用する場合にあっては、各作業用プレート２３を、図７及び図８に鎖線図示する如く、作業位置に位置させておくことにより、その上に図面を広げておくことができ、図面の読み取り等を便利に行なうことができる。大型図面についても、左右の作業用プレート２３，２３の上面とコンテナ本体２の上面（第１道工具収納室６の上面）とを一連の図面支持面として利用することにより、容易に扱うことができる。
【００３２】
作業工程が完了すると、共通道工具及び専用道工具が夫々共通道工具収納領域及び専用道工具収納領域に復帰収納されていることを確認した上で、道工具コンテナを作業現場から道工具管理・保管エリアに復帰移送させる（道工具返送工程）。道工具返送工程にあって、全ての道工具が紛失しておらず揃っているかどうかの確認作業は、道工具を冒頭で述べたように道工具コンテナにランダムに詰め込むのではなく、道工具コンテナ１Ａ，１Ｂ，１Ｃの予め決められた場所に収納できるため、容易且つ確実に行なうことができる。また、図面やアーク溶接用トーチ，ガス切断用吹管等の収納不能道工具も、スパナ，レンチ等の収納可能道工具と共に、道工具コンテナ１Ａ，１Ｂ，１Ｃに収納しておくことから、つまり全ての道工具を道工具コンテナ１Ａ，１Ｂ，１Ｃに収納しておくことから、冒頭に述べた如く収納不能道工具を道工具コンテナに収納しない場合と異なって、作業現場に道工具を置き忘れるようなことがない。
【００３３】
道工具返送工程が完了すると、専用道工具のみを道工具コンテナ１Ａ，１Ｂ，１Ｃの専用道工具収納領域から取り出して、道工具管理・保管エリアにおける当該専用道工具の管理・保管場所に戻しておく（専用道工具返戻工程）。専用道工具以外の道工具（共通道工具）は、当該特定作業と同種の作業は勿論、異種の作業において使用するものであるから、道工具コンテナ１Ａ，１Ｂ，１Ｃに収納させたままとしておいても、何ら問題を生じない。したがって、一般に、共通道工具に比して専用道工具は少量であることとも相俟って、冒頭で述べた如く全ての道工具を作業終了後に管理・保管場所に戻すようにする場合に比して、特定作業終了後の道工具出し入れ作業が極めて容易であり、それに要する時間的，労力的負担は大幅に軽減されることになる。
【００３４】
そして、１回目の特定作業が終了した後において、２回目以降の特定作業を行うに当たっては、それが直前に行われた特定作業と同種であると否とに拘わらず、作業準備工程を行わない。すなわち、２回目以降の特定作業を行なう場合においては、共通道工具が収容されている道工具コンテナ１Ａ，１Ｂ，１Ｃをそのまま使用し、これに当該特定作業に必要とされる専用道工具を管理・保管場所から取り出して収納させるのである。したがって、冒頭で述べた如く、常に、全ての道工具を出し入れする必要がある場合に比して、作業効率を大幅に向上させることができる。特に、専用道工具を道工具収納ケース１５に収納させるようにする場合には、当該ケース１５を複数の専用道工具が収納された状態で道工具管理・保管エリアの管理場所に出し入れすることができるから、複数の専用道工具を個々に出し入れする場合に比して、作業効率の更なる向上を図ることができる。
【００３５】
なお、本発明は上記した実施の形態に限定されるものでなく、本発明の基本原理を逸脱しない範囲で適宜に改良，変更することができる。例えば、道工具の位置決め部材１８，１９，２０の形態は任意であり、必要に応じて位置変更可能な仕切等で構成することが可能であり、その配置場所も任意である。また、作業用プレート２３は、格納位置と作業位置とに亘ってスライドするように構成しておいてもよい。また、第１及び第２道工具収納室６，７の形態も、収納すべき道工具の大きさや形状等に応じて任意に設定することができる。また、コンテナ本体２は、必要とされる全ての道工具を収納しうる容積を有するものであれば、その形状，大きさは任意である。また、走行輪３，コンテナ吊支具用取付片４，引掛具２２は必要に応じて設けられるものであり、その数，形状も任意である。また、コンテナ本体２には、必要に応じて、当該コンテナ１Ａ，１Ｂ，１Ｃを牽引するための牽引用連結具（例えば、牽引，押し手棒に連結して牽引するための牽引用金具）、各種垂れ幕やこれに類する表示体，掲示体（例えば、工事者名（社名，グループ名等）や危険回避標示等を記載した垂れ幕，標示板等）を直接に又は垂れ幕支持竿（旗竿）等を介して間接的に保持しておくための表示体保持具を設けておくことが好ましい。また、第２開閉蓋１７を開いた状態でロックしておくための手段を設けておくと、当該コンテナ１Ａ，１Ｂ，１Ｃの設置面が傾斜しているような場合にも第２開閉蓋１７が不測に閉じられるようなことを回避できて便利であるが、かかる手段又はその一部として上記垂れ幕支持竿や表示体保持具を兼用させることが可能である。また、コンテナ本体２には、工事場所の工事分電盤より引き込む工事用電源（２００Ｖ）のコンセントを設けておくことが好ましい。このような工事用電源を確保できるようにしておけば、例えば、コンテナ本体２にエアコンプレッサを装備させておくことにより、エア源のない場所においても、エアコンプレッサによるエア供給を行うことができ、エア工具（ドリル等）を使用することができる。更に、コンテナ本体２に変圧器を装備させて、工事用電源（２００Ｖ）を一般機器用電源（１００Ｖ）に変圧させるようにしておくと、コンテナ本体２に設けた一般機器用電源のコンセントを使用してパソコン等を工事現場で使用することができて便利である。また、第１開閉蓋１６の裏面又はその一部を、作業手順等を表示するアナログ式又はデジタル式のディスプレイに構成しておくこと、及びこのディスプレイを利用する電気・電子機器（コンピュータ等）をコンテナ本体２に組み込んでおくことも可能である。
【００３６】
【発明の効果】
以上の説明から容易に理解されるように、本発明によれば、専用道工具のみを交換することによって、複数種の作業を効率良く行なうことができ、製缶作業等の特定作業に要する時間，労力，作業者数，経済的負担を大幅に低減することができる。
【図面の簡単な説明】
【図１】第１道工具コンテナを示す正面図である。
【図２】第１及び第２開閉蓋を開いた状態を示す同コンテナの正面図である。
【図３】第１開閉蓋を開いた状態を示す同コンテナの平面図である。
【図４】第１開閉蓋を開いた状態を示す同コンテナの側面図である。
【図５】同コンテナの要部（第１開閉蓋）の縦断側面図である。
【図６】第２道工具コンテナを示す正面図である。
【図７】第３道工具コンテナを示す正面図である。
【図８】同コンテナの平面図である。
【符号の説明】
１Ａ，１Ｂ，１Ｃ…道工具コンテナ、２…コンテナ本体、３…走行輪、４…コンテナ吊支具用取付片、５…仕切壁、６…第１道工具収納室、７…第２道工具収納室、８，９，１０，１１…位置決め部材、１２，１３，１４…収納室部分、１５…道工具収納ケース、１６…第１開閉蓋。１７…第２開閉蓋、１８，１９，２０…保持部、２２…引掛具、２３…作業用プレート。
【図１】
2004283993.tif 000003
【図２】
2004283993.tif 000004
【図３】
2004283993.tif 000005
【図４】
2004283993.tif 000006
【図５】
2004283993.tif 000007
【図６】
2004283993.tif 000008
【図７】
2004283993.tif 000009
【図８】
2004283993.tif 000010